(57)【要約】      （修正有）【課題】赤ちゃんや介護が必要な高齢者に、飲食物を与える時に、飲み口が小さく、挿入し易い形状、材質のスプーンを提供する。【解決手段】スプーンの飲み口１０に柔らかく柔軟性と復元性のある材質を使用し、硬い材質を使用した後部で繋がる２本の柄（操作部）に力を加えると、そこから繋がる同じ硬い材質の飲み口の両側部分に配置された作動部に力が伝わり、飲み口を挟み込んで飲食物を乗せた飲み口を丸めて小さく出来、挿入後柄（操作部）の力を弱めると作動部の挟み込む力が弱まり飲み口が口の中で広がり始め、それと共に対象者の口元が自然に押し広げられて、スムーズに飲食物を零す事無く対象者に適量を食べさせることが出来る。【選択図】図１
2015150407.tif 000002
【特許請求の範囲】
【請求項１】
飲み口に柔軟性と復元性のある材質（シリコンゴム、合成ゴム、生ゴム、合成樹脂等）を使用した飲み口と一体になった硬い材質（シリコンゴム、合成樹脂、金属等）を使用した後部で繋がった２本の柄と柄と繋がった飲み口両側設置された作動部から形成され  柄の操作部に力を加えることで繋がった作動部に力が伝わり作動部が飲食物を乗せた飲み口を両側から挟み込むことで  飲み口を丸めて小さく出来、柄の操作部の力を弱めれば作動部の挟み込む力が弱まり飲み口が元の形状に復元して広がる  手元の操作で容易に先端の飲み口の開閉調整が出来ることを特徴とするスプーン。
【請求項２】
柔軟性と復元性のある材質（シリコンゴム、合成ゴム、生ゴム、合成樹脂等）を使用した飲み口が  硬い材質で柄（操作部）と繋がった飲み口両側に設置された作動部に操作部に加えた力が伝わった時  容易に丸まって小さくなる様に  作動部と一体になった飲み口の両側に段差（高低差）を付け  低い側が下に入り込み  高い側は上に被さり交錯することで飲み口が丸まって小さくなる事を誘導することを特徴とするスプーン。
【請求項３】
柔軟性と復元力のある材質（シリコンゴム、合成ゴム類、生ゴム、合成樹脂等）を使用した飲み口が  両側から力が加わった時に容易に丸まって小さくなるように飲み口の先端付近の縦、横方向の肉厚を薄肉にした飲み口を有する事を特徴とするスプーン。
【請求項４】
柔軟性と復元力のある材質（シリコンゴム、合成ゴム類、生ゴム、合成樹脂等）を使用した飲み口が容易に丸まって小さくなる様に  柄（操作部）から飲み口に配置された作動部に力が伝わり両側の間隔が狭まった時に  作動部に段差（高低差）が付くように  ２本の柄後部の接続部が左右どちらかに角度が付いて変形する事を特徴とするスプーン。
【発明の詳細な説明】
【技術分野】
【０００１】この発明は、なかなか口を開かなかったり、口を開ける力が弱い赤ちゃん、介護が必要な高齢者に飲食物を与える時に  手元で柄に力を加えることで飲み口が乗せた飲食物を包み込む様に丸まって小さくなり  小さくした飲み口を口の中に挿入した後手元の力を弱め飲み口を広げることで自然に対象者の口を開かせて  飲食物を零す事無く口の中に送り込むことが出来る  飲み口に開閉機能を有するスプーンに関する。
【背景技術】
【０００２】従来の赤ちゃん、介護が必要な高齢者用のスプーンの飲み口は  飲食物を零さない様に  飲み口自体を小さくする、挿入し易い形状にする、挿入し易い材質を使用する等の方法が取られているが  対象者の口の大きさ、口の開き具合、与える飲食物の大きさ、硬さ、粘度、流動性等は様々であり  それに合わせた飲み口の調整はできず一定の形状であることから  対象者に飲食物を与える時は  供給者の手加減に調整を依存している。【０００３】このように赤ちゃん、介護が必要な高齢者は  それぞれ口の大きさ、口の開き具合、口を開ける意思、口を開ける力が異なっており  又飲食物の種類、大きさ、硬さ、粘度、流動性も様々な為  食べさせるには供給者の手加減に頼るところが大きくスプーンの形状、材質だけでは補いきれず  口を適度な大きさ迄開けさせることは対象者の状態、意思次第となる為  無理をして飲食物を押し込み零したり、廻りを汚したりすると供に対象者への適量の供給も難しくなる。
【先行技術文献】
【特許文献】
【０００４】
【特許文献１】特許公開２０００−９３２８１特許文献１の介護用スプーンは  介護給食に使用されるスプーンに横漏れ防止機能を付設することにより、介護者の手間を省くともに、要介護者の食感を満足させ、且つ横漏れによる不快感を蒙ることがない様な介護スプーンを提供する事目的として  スプーン頭部の側縁部に、飲食物の横漏れを防止する為のフレームを設けたことで課題を解決できるとしている。【０００５】上記スプーンは  横漏れを防止するためのフレームが付設されているので、介護者が横漏れしないように少量ずつ給食したり、または横漏れにより汚れた口の周りや衣服などを拭き取る必要が無く迅速かつ安全に給食作業を行う事が出来ると共に要介護者において、少量ずつ給食されることに事による不快感や、横漏れによる不快感を抱くことなく、楽しく食事をすることができるとしているとしているがスプーンの形状、大きさが均一である為  要介護者の口の大きさ、開き具合、飲食物の大きさ、硬さ、粘度、流動性に合わせた調整はできないので  スムーズに口の中に入れられない、横漏れ防止のフレームが適切に働かない場合があり、形状だけでは満足する機能を果たすことは出来ない。
【発明が解決しようとする課題】
【０００６】そこでこの発明は  中々口を開かない、口を開ける力が弱い赤ちゃん、介護が必要な高齢者に飲食物を与える時  手元の柄部分に力を加える事で飲食物を乗せた飲み口を飲食物を包み込む様に小さく丸められ、口の中に挿入し易い形状にすることが出来、挿入された飲み口を手元の力を弱め口の中で広げることで自然に対象者の口が開いていき飲食物を零さずにスムーズに送り込み、食べさせることが出来るスプーンを提供することを課題とする。
【課題を解決するための手段】
【０００７】以上の課題を解決するために、スプーンの飲み口に柔らかい柔軟性と復元性のある材質（シリコンゴム、合成ゴム類、生ゴム、合成樹脂等）を使用し  一体となった硬い材質（硬度が高いシリコンゴム、合成ゴム、合成樹脂、金属等）を使用したスプーン後部で繋がった２本の柄の操作部に力を加え  そこから繋がる同じ硬い材質の飲み口の両側部分に配置された作動部に力が伝わり  飲み口を挟み込むことで飲み口が飲食物を包み込む様に小さく丸まり  開き切っていない対象者の口の中に飲み口を容易に挿入でき  その後操作部に掛る力を弱めると  作動部の挟み込む力が弱まり口の中で飲み口が広がり始め  それと共に飲み口の広がる力で口元が自然に開いて  スムーズに飲食物を零す事無く適量を対象者に食べさせることが出来る。
【発明の効果】
【０００８】本発明によれば  中々口を開かない、口を開く力の弱い赤ちゃん、介護が必要な高齢者に飲食物を与える時に  口の中に飲食物を上手く入れられない、口元から飲食物が零れてしまう等の問題を  手元で開閉操作が出来る飲み口を有したスプーンによりわずかに開いた口の中に小さく丸まった飲み口を挿入し  口の中で開くことで自然に口を開かせ  対象者の口の中に適量の飲食物を送り込むことが出来、なお且つ零したり周りを汚さずに食べさせることが可能となる。この飲み口を有するスプーンは  柔らかく柔軟性と復元性のある材質で形成された小さく丸められる飲み口部と硬い材質で形成された飲み口の開閉を手元で調整できる柄の操作部とそれに繋がる飲み口に両側から挟み込む力を加える作動部からなり、手元の操作部に力を加えると作動部に力が伝わり作動部が飲み口を挟み込んで飲み口が小さく丸められ少ししか開いていない口の中に容易に挿入が出来、操作部の力を弱めると作動部の飲み口を挟む力が弱まり口の中で飲み口が広がり  同時に対象者の口元を押し広げ飲み口の飲食物を容易に送り込むことが出来、又手元の力の入れ具合で  飲み口の開閉の微妙な操作が出来るので  対象者の様子を見ながら適量を徐々に食べさせることが可能である。
【図面の簡単な説明】
【０００９】
【図１】スプーンの全体像（斜図）
【図２】スプーンの全体像（上面図）
【図３】スプーン飲み口を小さく丸めた図（斜図）
【図４】スプーン飲み口を小さく丸めた図（上面図）
【図５】スプーン側面図
【図６】使用方法を示す図
【図７】スプーン後部柄の接続部分を示す図（２本の柄の接続部分の変形方向）
【発明を実施するための形態】
【００１０】以下本発明の実施形態を  図面を参照に説明する。
図１は  スプーンの通常形態を斜め上から見た全体像１を示す。飲み口１０と後部で繋がる２本の柄（操作部）１１，１１ａ，（接続部）１１ｂと柄から飲み口まで繋がった作動部１２から形成されており、飲み口は小さく丸まる様に  柔らかい柔軟性と復元性のある材質（シリコンゴム、合成ゴム、生ゴム、合成樹脂等）を使用し  柄の操作部と作動部は力を伝える為硬い材質（硬度が高いシリコンゴム、合成樹脂、金属等）使用している。飲み口の形状は  内側に小さく丸まる様に先端付近の肉厚を薄くし１０ａ、両側の高さに高低差１０ｃつけ、円周を若干内側に向け１０ｄている。これにより作動部から力が伝わると飲み口薄肉部から簡単に変形を始め、円周部が内側に倒れ易い形状と両側の高さの差から  低い側が入り込み高い側が被さっていき小さく丸まる。
【００１１】図２は  スプーンの通常形態を真上から見た全体像を示す。飲み口１０と柄（操作部）１１，１１ａ，  柄（接続部）１１ｂ、作動部１２の配置、飲み口の円周状の薄肉部１０ａを示している。
【００１２】図３は  スプーンの飲み口１０を小さく丸めた状態を斜めから見た図を示す。力を加えた柄（操作部）１１ａから作動部１２に力が伝わり  小さく丸まった状態になっている。飲み口の薄肉部から変形し  円周形状と両側の高低差の他作動部にも高低差が付く様に柄（接続部）１１ｂが変形する為より内側に小さく丸まり易い。
【００１３】図４は  スプーンの飲み口１０を小さ丸めた状態を真上から見た図を示す。作動部１２から力が加わり飲み口の高い側が低い側に覆いかぶさる様になり  低い側は下に入り込む。
【００１４】図５は  スプーンの通常形態の側面図を示す。飲み口の高さ方向の薄肉部１０ｂと両側の段差部高低差１０ｃを表している。
【００１５】図６は  丸めて小さくした飲み口をわずかに開いている対象者の口の中に挿入した図（Ａ）と飲み口を口の中で広げることで対象者の口が開いた図（Ｂ）である。
【００１６】図７は後部で繋がった２本の柄の接続部１１ｂが力を加えた時平行に狭まらず作動部に段差（高低差）が出来る様に変形する為の構造を示す図。縦軸の変形する方向が垂直では無く左右どちらかに角度１１ｃが付く為先で繋がる作動部が段差（高低差）が付いて狭まる。
【符号の説明】
【００１７】１      スプーン本体
１０    スプーン飲み口
１０ａ  スプーン飲み口円周方向薄肉部
１０ｂ  スプーン飲み口高さ方向薄肉部
１０ｃ  スプーン飲み口段差部
１０ｄ  スプーン飲み口内傾部
１１    スプーン柄
１１ａ  スプーン柄の操作部
１１ｂ  スプーン柄の接続部
１１ｃ  スプーン柄の接続部の変形方向
１２    スプーン作動部
【図１】
2015150407.tif 000003
【図２】
2015150407.tif 000004
【図３】
2015150407.tif 000005
【図４】
2015150407.tif 000006
【図５】
2015150407.tif 000007
【図６】
2015150407.tif 000008
【図７】
2015150407.tif 000009